(57)【要約】【課題】記憶メディアに格納されているコンテンツの内容を示すラベルを記憶メディアの表面上に印刷すること。【解決手段】印刷装置１００は、メディア情報取得部１０１と、算出部１０２と、検出部１０３と、印刷状況判断部１０４と、ラベル情報生成部１０５と、ラベル印刷部１０６と、メディア情報更新部１０７とを備える。メディア情報取得部１０１は、ＣＤ／ＤＶＤディスク１１０から、メディア情報１１１を取得する。算出部１０２は、ＣＤ／ＤＶＤディスク１１０のディスク容量を算出する。検出部１０３は、ＣＤ／ＤＶＤディスク１１０が追記可能な状態であるか否かを検出する。印刷状況判断部１０４は、ディスク情報およびアルバム情報が、ＣＤ／ＤＶＤディスク１１０の表面上にすでに印刷されているか否かを判断する。ラベル情報生成部１０５は、ラベル情報を生成する。ラベル印刷部１０６は、ＣＤ／ＤＶＤディスク１１０の表面上にラベルを印刷する。【選択図】図２
2008140439.tif 000002
【特許請求の範囲】
【請求項１】
記憶メディアに格納されているコンテンツの内容を示すメディア情報を取得するメディア情報取得手段と、
前記メディア情報取得手段によって取得した前記メディア情報に基づいて、前記記憶メディアの表面上に印刷する前記メディア情報に対応するラベル情報を生成するラベル情報生成手段と、
前記ラベル情報生成手段によって生成された前記メディア情報に対応する前記ラベル情報に基づいて、前記記憶メディアの表面上に前記メディア情報に対応するラベルを印刷するラベル印刷手段と、
を備えたことを特徴とする印刷装置。
【請求項２】
すでに前記記憶メディアの表面上に、前記メディア情報取得手段によって取得した前記メディア情報に対応する前記ラベルが印刷されているか否かを判断する印刷状況判断手段をさらに備え、
前記ラベル情報生成手段は、前記印刷状況判断手段によって前記記憶メディアの表面上に前記メディア情報に対応する前記ラベルが印刷されていないと判断された前記メディア情報に対応するラベル情報を生成することを特徴とする請求項１に記載の印刷装置。
【請求項３】
前記ラベル印刷手段は、すでに印刷されている前記メディア情報に対応する前記ラベルと重ならない位置に、前記印刷されていないと判断されたメディア情報に対応するラベルを印刷することを特徴とする請求項２に記載の印刷装置。
【請求項４】
前記印刷状況判断手段は、前記メディア情報取得手段によって取得した前記メディア情報に含まれる、前記メディア情報に対応する前記ラベルが印刷されているか否かを判断するための印刷状況情報に基づいて、すでに前記記憶メディアの表面上に、前記メディア情報取得手段によって取得した前記メディア情報に対応する前記ラベルが印刷されているか否かを判断することを特徴とする請求項２または３に記載の印刷装置。
【請求項５】
前記メディア情報取得手段によって取得した前記メディア情報に含まれる前記印刷状況情報のうち、前記ラベル印刷手段によって前記記憶メディアの表面上に前記メディア情報に対応する前記ラベルが印刷された前記メディア情報に含まれる前記印刷状況情報を更新するメディア情報更新手段をさらに備えたことを特徴とする請求項４に記載の印刷装置。
【請求項６】
前記ラベル印刷手段は、前記記憶メディアがＣＤおよびＤＶＤなどの円盤状のディスクである場合、前記ラベルを印刷する位置を合わせるための情報を、前記記憶メディアの表面上にさらに印刷することを特徴とする請求項１〜５のいずれか一つに記載の印刷装置。
【請求項７】
前記記憶メディアの使用量および空き容量を算出する算出手段をさらに備え、
前記ラベル情報生成手段は、前記算出手段によって算出された結果を示す前記ラベル情報を生成することを特徴とする請求項１〜６のいずれか一つに記載の印刷装置。
【請求項８】
前記記憶メディアが追記不可能な状態であるか否かまたは追記不可能な操作が行われたか否かを検出する検出手段をさらに備え、
前記ラベル情報生成手段は、前記検出手段によって検出された結果を示す前記ラベル情報を生成することを特徴とする請求項１〜７のいずれか一つに記載の印刷装置。
【請求項９】
前記ラベル情報生成手段は、
前記検出手段によって前記記憶メディアが追記不可能な状態であると検出された際に、前記記憶メディアが追記不可能な状態である旨を示す文字列または図形からなる前記ラベル情報を生成することを特徴とする請求項８に記載の印刷装置。
【請求項１０】
前記ラベル情報生成手段は、前記算出手段によって算出された結果を示すグラフを前記ラベル情報として生成することを特徴とする請求項７に記載の印刷装置。
【請求項１１】
前記記憶メディアが追記不可能な状態であるか否かを検出する検出手段をさらに備え、
前記ラベル情報生成手段は、
前記算出手段によって空き容量があると算出された場合であっても、前記検出手段によって前記記憶メディアが追記不可能な状態であると検出された際に、前記記憶メディアが追記不可能な状態である旨を示すように、前記グラフを前記ラベル情報として塗りつぶして生成することを特徴とする請求項１０に記載の印刷装置。
【請求項１２】
前記メディア情報取得手段は、前記コンテンツとともに前記記憶メディアに格納されているメタデータを読み取ることによって、前記記憶メディアに格納されているコンテンツの内容を示す前記メディア情報を取得することを特徴とする請求項１〜１１のいずれか一つに記載の印刷装置。
【請求項１３】
記憶メディアに格納されているコンテンツの内容を示すメディア情報を取得するメディア情報取得工程と、
前記メディア情報取得工程によって取得した前記メディア情報に基づいて、前記記憶メディアの表面上に印刷する前記メディア情報に対応するラベル情報を生成するラベル情報生成工程と、
前記ラベル情報生成工程によって生成された前記メディア情報に対応する前記ラベル情報に基づいて、前記記憶メディアの表面上に前記メディア情報に対応するラベルを印刷するラベル印刷工程と、
を含んだことを特徴とする印刷方法。
【請求項１４】
請求項１３に記載の印刷方法をコンピュータに実行させることを特徴とする印刷プログラム。
【請求項１５】
請求項１４に記載の印刷プログラムを記憶したことを特徴とするコンピュータに読み取り可能な記憶媒体。
【発明の詳細な説明】
【技術分野】
【０００１】
本発明は、記憶メディアの表面上に画像、文字、図形などを印刷する、印刷装置、印刷方法、印刷プログラム、および記憶媒体に関する。
【背景技術】
【０００２】
従来、例えば、パーソナル・コンピュータなどによって、ＣＤ（Ｃｏｍｐａｃｔ  Ｄｉｓｃ）およびＤＶＤ（Ｄｉｇｉｔａｌ  Ｖｅｒｓａｔｉｌｅ  Ｄｉｓｃ）などの記憶媒体（以下、「記憶メディア」と示す）に対して、デジタルカメラなどで撮影したデジタル画像などのコンテンツを格納することができる。このような記憶メディアにおいては、記憶メディアにどのようなコンテンツが格納されているのかを把握するのが困難である。そのため、複数の記憶メディアのうち、どの記憶メディアに所望のコンテンツが格納されているのかを把握するためには、手間や時間がかかる複雑な操作を行わなければならないという問題が生じていた。
【０００３】
そこで、例えば、パーソナル・コンピュータなどの画像編集装置によって生成したラベルを、記憶メディアの表面上に印刷することができる印刷装置がある（例えば、下記特許文献１参照。）。このような印刷装置を用いて、記憶メディアに格納されているコンテンツの内容を示すメディア情報を含んだラベルを、記憶メディアの表面上に印刷することによって、ユーザは、記憶メディアの表面上に印刷されたラベルによって、記憶メディアにどのようなコンテンツが格納されているのかを把握することができる。
【０００４】
【特許文献１】特開２００５−７１５６６号公報
【発明の開示】
【発明が解決しようとする課題】
【０００５】
しかしながら、上記の従来技術にあっては、パーソナル・コンピュータなどの画像編集装置によって、記憶メディアに格納されているコンテンツの内容を示すメディア情報を含んだラベルを生成するための手間や時間がかかるという問題が生じていた。
【０００６】
本発明は、上述した従来技術による問題点を解消するため、記憶メディアに格納されているコンテンツの内容を示すラベルを記憶メディアの表面上に印刷することができる印刷装置、印刷方法、印刷プログラム、および記憶媒体を提供することを目的とする。
【課題を解決するための手段】
【０００７】
上述した課題を解決し、目的を達成するため、この発明にかかる印刷装置は、記憶メディアに格納されているコンテンツの内容を示すメディア情報を取得するメディア情報取得手段と、前記メディア情報取得手段によって取得した前記メディア情報に基づいて、前記記憶メディアの表面上に印刷する前記メディア情報に対応するラベル情報を生成するラベル情報生成手段と、前記ラベル情報生成手段によって生成された前記メディア情報に対応する前記ラベル情報に基づいて、前記記憶メディアの表面上に前記メディア情報に対応する前記ラベルを印刷するラベル印刷手段と、を備えたことを特徴とする。
【０００８】
この発明によれば、記憶メディアに格納されているコンテンツの内容を示すメディア情報を取得して、取得したメディア情報に対応するラベルを、記憶メディアの表面上に印刷することができる。そのため、ユーザは、手間や時間がかかるパーソナル・コンピュータなどの画像編集装置を用いたラベルの生成作業を行うことなく、容易に、記憶メディアに格納されているコンテンツの内容を示すメディア情報を含んだラベルを生成して、生成したラベルを記憶メディアの表面上に印刷することができる。そして、ユーザは、記憶メディアの表面上に印刷されたラベルによって、記憶メディアにどのようなコンテンツが格納されているのかを容易に把握することができる。
【０００９】
また、この発明にかかる印刷装置は、上記に記載の発明において、すでに前記記憶メディアの表面上に、前記メディア情報取得手段によって取得した前記メディア情報に対応する前記ラベルが印刷されているか否かを判断する印刷状況判断手段をさらに備え、前記ラベル情報生成手段は、前記印刷状況判断手段によって前記記憶メディアの表面上に前記メディア情報に対応する前記ラベルが印刷されていないと判断された前記メディア情報に対応するラベル情報を生成することを特徴とする。
【００１０】
この発明によれば、記憶メディアに格納されているコンテンツの内容を示すメディア情報のうち、記憶メディアの表面上に印刷されていないメディア情報に対応するラベルのみを、新たに、記憶メディアの表面上に印刷することができる。そのため、記憶メディアにコンテンツが追加された場合であっても、ユーザは、手間や時間がかかるパーソナル・コンピュータなどの画像編集装置を用いたラベルの生成作業を行うことなく、容易に、記憶メディアに追加されたコンテンツの内容を示すメディア情報を含んだラベルを生成して、生成したラベルを記憶メディアの表面上に印刷することができる。そして、ユーザは、記憶メディアの表面上に印刷されたラベルによって、記憶メディアにどのようなコンテンツが追加されたのかを容易に把握することができる。
【００１１】
また、この発明にかかる印刷装置は、上記に記載の発明において、前記ラベル印刷手段は、すでに印刷されている前記メディア情報に対応する前記ラベルと重ならない位置に、前記印刷されていないと判断されたメディア情報に対応するラベルを印刷することを特徴とする。
【００１２】
この発明によれば、記憶メディアに格納されているコンテンツの内容を示すメディア情報のうち、記憶メディアの表面上に印刷されていないメディア情報に対応するラベルのみを、新たに、記憶メディアの表面上の、すでに印刷されているメディア情報に対応するラベルと重ならない位置に印刷することができる。そのため、記憶メディアにコンテンツが追加された場合であっても、ユーザは、手間や時間がかかるパーソナル・コンピュータなどの画像編集装置を用いたラベルの生成作業を行うことなく、容易に、記憶メディアに追加されたコンテンツの内容を示すメディア情報を含んだラベルを生成して、生成したラベルを記憶メディアの表面上の、すでに印刷されているメディア情報に対応するラベルと重ならない位置に印刷することができる。そして、ユーザは、記憶メディアの表面上の、すでに印刷されているメディア情報に対応するラベルと重ならない位置に印刷されたラベルによって、記憶メディアにどのようなコンテンツが追加されたのかを容易に把握することができる。
【００１３】
また、この発明にかかる印刷装置は、上記に記載の発明において、前記印刷状況判断手段は、前記メディア情報取得手段によって取得した前記メディア情報に含まれる、前記メディア情報に対応する前記ラベルが印刷されているか否かを判断するための印刷状況情報に基づいて、すでに前記記憶メディアの表面上に、前記メディア情報取得手段によって取得した前記メディア情報に対応する前記ラベルが印刷されているか否かを判断することを特徴とする。
【００１４】
この発明によれば、記憶メディアに格納されているコンテンツの内容を示すメディア情報に格納されている印刷状況情報によって、メディア情報に対応するラベルがすでに記憶メディアの表面上に印刷されているか否かを判断することができる。そのため、メディアの表面上に印刷されているラベルの情報の設定を行う、記憶メディアの表面をスキャナなどによって読み取る、メディア情報以外のデータを取得する、などの手間や時間がかかるユーザによる作業を行うことなく、容易に、メディア情報に対応するラベルがすでに記憶メディアの表面上に印刷されているか否かを判断することができる。
【００１５】
また、この発明にかかる印刷装置は、上記に記載の発明において、前記メディア情報取得手段によって取得した前記メディア情報に含まれる前記印刷状況情報のうち、前記ラベル印刷手段によって前記記憶メディアの表面上に前記メディア情報に対応する前記ラベルが印刷された前記メディア情報に含まれる前記印刷状況情報を更新するメディア情報更新手段をさらに備えたことを特徴とする。
【００１６】
この発明によれば、記憶メディアの表面上にメディア情報に対応するラベルを印刷するとともに、印刷したラベルに対応するメディア情報に含まれる印刷状況情報を更新することができる。これによって、例えば、記憶メディアにコンテンツが追加された場合であっても、すでに印刷されているメディア情報に対応するラベルを再び印刷することなく、記憶メディアに追加されたコンテンツの内容を示すメディア情報を含んだラベルのみを、新たに記憶メディアの表面上に印刷することができる。
【００１７】
また、この発明にかかる印刷装置は、上記に記載の発明において、前記ラベル印刷手段は、前記記憶メディアがＣＤおよびＤＶＤなどの円盤状のディスクである場合、前記ラベルを印刷する位置を合わせるための情報を、前記記憶メディアの表面上にさらに印刷することを特徴とする。
【００１８】
この発明によれば、ＣＤおよびＤＶＤなどの円盤状のディスクの表面上にラベルを印刷するときに、例えば、ディスクに印刷された、ラベルを印刷する位置を合わせるための情報と、印刷装置に設けられた、ラベルを印刷する位置を合わせるための情報との位置が合うようにディスクを印刷装置のトレイ上に載置することによって、ディスクを印刷装置に対して、常に所定の円周方向に向けてセットすることができる。このため、例えば、記憶メディアにコンテンツが追加された場合においても、すでに印刷されているラベルと不要に重なったりすることなく、記憶メディアに追加されたコンテンツの内容を示すメディア情報を含んだラベルを、新たにディスクの表面上の所定の位置に印刷することができる。
【００１９】
また、この発明にかかる印刷装置は、上記に記載の発明において、前記記憶メディアの使用量および空き容量を算出する算出手段をさらに備え、前記ラベル情報生成手段は、前記算出手段によって算出された結果を示す前記ラベル情報を生成することを特徴とする。
【００２０】
この発明によれば、記憶メディアの使用量および空き容量を算出して、算出された記憶メディアの使用量および空き容量を示すラベルを、記憶メディアの表面上に印刷することができる。そのため、ユーザは、手間や時間がかかるパーソナル・コンピュータなどの画像編集装置を用いたラベルの生成作業を行うことなく、容易に、記憶メディアの使用量および空き容量を示すラベルを生成して、生成したラベルを記憶メディアの表面上に印刷することができる。そして、ユーザは、記憶メディアの表面上に印刷されたラベルによって、記憶メディアの使用量および空き容量を容易に把握することができる。
【００２１】
また、この発明にかかる印刷装置は、上記に記載の発明において、前記記憶メディアが追記不可能な状態であるか否かまたは追記不可能な操作が行われたか否かを検出する検出手段をさらに備え、前記ラベル情報生成手段は、前記検出手段によって検出された結果を示す前記ラベル情報を生成することを特徴とする。
【００２２】
この発明によれば、記憶メディアが追記可能な状態であるか否かを検出して、検出された結果を示すラベルを、記憶メディアの表面上に印刷することができる。そのため、ユーザは、手間や時間がかかるパーソナル・コンピュータなどの画像編集装置を用いたラベルの生成作業を行うことなく、容易に、記憶メディアが追記可能な状態であるか否かを示すラベルを生成して、生成したラベルを記憶メディアの表面上に印刷することができる。そして、ユーザは、記憶メディアの表面上に印刷されたラベルによって、記憶メディアが追記可能な状態であるか否かを容易に把握することができる。
【００２３】
また、この発明にかかる印刷装置は、上記に記載の発明において、前記ラベル情報生成手段は、前記検出手段によって前記記憶メディアが追記不可能な状態であると検出された際に、前記記憶メディアが追記不可能な状態である旨を示す文字列または図形からなる前記ラベル情報を生成することを特徴とする。
【００２４】
この発明によれば、記憶メディアが追記可能な状態であるか否かを検出して、記憶メディアが追記可能な状態ではないと検出された際には、その旨を示す文字列または図形からなるラベルを、記憶メディアの表面上に印刷することができる。そのため、ユーザは、手間や時間がかかるパーソナル・コンピュータなどの画像編集装置を用いたラベルの生成作業を行うことなく、容易に、記憶メディアが追記可能な状態でない旨を示すラベルを生成して、生成したラベルを記憶メディアの表面上に印刷することができる。そして、ユーザは、記憶メディアの表面上に印刷されたラベルによって、記憶メディアが追記可能な状態でない旨を容易に把握することができる。
【００２５】
また、この発明にかかる印刷装置は、上記に記載の発明において、前記ラベル情報生成手段は、前記算出手段によって算出された結果を示すグラフを前記ラベル情報として生成することを特徴とする。
【００２６】
この発明によれば、記憶メディアの使用量および空き容量を算出して、算出された記憶メディアの使用量および空き容量を示すグラフを、記憶メディアの表面上に印刷することができる。そのため、ユーザは、手間や時間がかかるパーソナル・コンピュータなどの画像編集装置を用いたラベルの生成作業を行うことなく、容易に、記憶メディアの使用量および空き容量を示すグラフを生成して、生成したグラフを記憶メディアの表面上に印刷することができる。そして、ユーザは、記憶メディアの表面上に印刷されたグラフによって、記憶メディアの使用量および空き容量を容易かつ直感的に把握することができる。
【００２７】
また、この発明にかかる印刷装置は、上記に記載の発明において、前記記憶メディアが追記不可能な状態であるか否かを検出する検出手段をさらに備え、前記ラベル情報生成手段は、前記算出手段によって空き容量があると算出された場合であっても、前記検出手段によって前記記憶メディアが追記不可能な状態であると検出された際に、前記記憶メディアが追記不可能な状態である旨を示すように、前記グラフを前記ラベル情報として塗りつぶして生成することを特徴とする。
【００２８】
この発明によれば、記憶メディアが追記可能な状態であるか否かを検出して、記憶メディアが追記可能な状態ではないと検出された際には、その旨を示す塗りつぶされたグラフを、記憶メディアの表面上に印刷することができる。そのため、ユーザは、手間や時間がかかるパーソナル・コンピュータなどの画像編集装置を用いたラベルの生成作業を行うことなく、容易に、記憶メディアが追記可能な状態でない旨を示す塗りつぶされたグラフを生成して、生成したグラフを記憶メディアの表面上に印刷することができる。そして、ユーザは、記憶メディアの表面上に印刷された塗りつぶされたグラフによって、記憶メディアが追記可能な状態でない旨を容易に把握することができる。
【００２９】
また、この発明にかかる印刷装置は、上記に記載の発明において、前記メディア情報取得手段は、前記コンテンツとともに前記記憶メディアに格納されているメタデータを読み取ることによって、前記記憶メディアに格納されているコンテンツの内容を示す前記メディア情報を取得することを特徴とする。
【００３０】
この発明によれば、コンテンツとともに記憶メディアに格納されているメタデータを読み取ることによって、記憶メディアに格納されているコンテンツの内容を示すメディア情報を取得することができる。そのため、例えば、印刷装置を複数所有する場合であっても、印刷装置ごとに記憶メディアに格納されているコンテンツの内容を示すメディア情報を記憶する必要がない。これによって、例えば、それぞれの印刷装置において、手間や時間がかかるメディア情報の取得先の設定や、メディア情報の取得先の設定に伴う印刷処理プログラムの改変などを行ったりすることなく、コンテンツとともに記憶メディアに格納されているメタデータを読み取るといった共通の方法によって、記憶メディアに格納されているコンテンツの内容を示すメディア情報を取得することができる。
【００３１】
また、この発明にかかる印刷方法は、記憶メディアに格納されているコンテンツの内容を示すメディア情報を取得するメディア情報取得工程と、前記メディア情報取得工程によって取得した前記メディア情報に基づいて、前記記憶メディアの表面上に印刷する前記メディア情報に対応するラベル情報を生成するラベル情報生成工程と、前記ラベル情報生成工程によって生成された前記メディア情報に対応する前記ラベル情報に基づいて、前記記憶メディアの表面上に前記メディア情報に対応するラベルを印刷するラベル印刷工程と、を含んだことを特徴とする。
【００３２】
この発明によれば、記憶メディアに格納されているコンテンツの内容を示すメディア情報を取得して、取得したメディア情報に対応するラベルを、記憶メディアの表面上に印刷することができる。そのため、ユーザは、手間や時間がかかるパーソナル・コンピュータなどの画像編集装置を用いたラベルの生成作業を行うことなく、容易に、記憶メディアに格納されているコンテンツの内容を示すメディア情報を含んだラベルを生成して、生成したラベルを記憶メディアの表面上に印刷することができる。そして、ユーザは、記憶メディアの表面上に印刷されたラベルによって、記憶メディアにどのようなコンテンツが格納されているのかを容易に把握することができる。
【００３３】
また、この発明にかかる印刷プログラムは、上記に記載の印刷方法をプリンタまたはコンピュータに実行させることを特徴とする。
【００３４】
この発明によれば、印刷プログラムを実行することにより、上述した印刷方法によって得られる動作がプリンタまたはコンピュータによって実現される。これにより、上述した印刷方法の実現によって得られる各種効果を奏することができる。
【００３５】
また、この発明にかかる記憶媒体は、上記に記載の印刷プログラムをプリンタまたはコンピュータに読み取り可能に記憶したことを特徴とする。
【００３６】
この発明によれば、記憶された印刷プログラムをプリンタまたはコンピュータに読み取らせ、実行させることによって、上述した印刷プログラムの実行によって得られる動作がプリンタまたはコンピュータによって実現される。これにより、上述した印刷プログラムの実行によって得られる各種効果を奏することができる。
【発明を実施するための最良の形態】
【００３７】
以下に添付図面を参照して、この発明にかかる印刷装置の好適な実施の形態を詳細に説明する。
【００３８】
（印刷装置１００の印刷処理概要）
図１は、本実施の形態における印刷装置の印刷処理の概要の一例を示す図である。図１に示すように、本実施の形態における印刷装置１００は、メモリーカードリーダ１３０と、ディスクドライブ１４０と、ラベルプリンタ１５０とを備えて構成されている。
【００３９】
メモリーカードリーダ１３０は、コンパクトフラッシュ（登録商標）、スマートメディア、ＳＤメモリーカード、マルチメディアカード、メモリースティック、ＵＳＢフラッシュメモリなどのメモリーカード１２０を挿入することによって、メモリーカード１２０に格納されている画像データ、音楽データ、動画データなどのコンテンツ１１２（図２参照）を印刷装置１００に取り込むことができる。
【００４０】
ディスクドライブ１４０は、ＣＤ−Ｒ、ＣＤ−ＲＷ、ＤＶＤ−Ｒ、ＤＶＤ−ＲＷなどのＣＤ／ＤＶＤディスク１１０を挿入することによって、メモリーカード１２０から取得したコンテンツ１１２をＣＤ／ＤＶＤディスク１１０に書き込むことができる。ラベルプリンタ１５０は、ＣＤ／ＤＶＤディスク１１０を挿入することによって、ＣＤ／ＤＶＤディスク１１０の表面上に所望の画像、文字、図形などによって構成されるラベルを印刷することができる。
【００４１】
本実施の形態における印刷装置１００は、ＣＤ／ＤＶＤディスク１１０に対してコンテンツ１１２を書き込むときに、コンテンツ１１２とともにメディア情報１１１（図２参照）をＣＤ／ＤＶＤディスク１１０に書き込むことができる。メディア情報１１１には、ディスクに関する情報（以下、「ディスク情報」と示す）と、一つまたは複数のアルバム情報（以下、「アルバム情報」と示す）が含まれる。本実施の形態においては、ディスク情報およびアルバム情報として、「ＩＤ情報」と、「タイトル情報」と、「作成者情報」と、「作成日情報」と、「サイズ情報」と、「ラベル印刷ステータス情報」とが含まれる。
【００４２】
「ＩＤ情報」には、ディスクおよびアルバムを一意に識別するためのＩＤが設定される。「タイトル情報」には、ディスクおよびアルバムのタイトルが設定される。「作成者情報」には、ディスクおよびアルバムの作成者が設定される。「作成日情報」には、ディスクおよびアルバムの作成日が設定される。「サイズ情報」には、ディスクおよびアルバムに格納されているデータのサイズが設定される。「ラベル印刷ステータス情報」には、ディスクおよびアルバムに対応するディスク情報およびアルバム情報が、ＣＤ／ＤＶＤディスク１１０の表面上にすでに印刷されているか否かを示す情報が設定される。
【００４３】
そして、コンテンツ１１２およびメディア情報１１１が書き込まれたＣＤ／ＤＶＤディスク１１０をラベルプリンタ１５０に挿入することによって、ＣＤ／ＤＶＤディスク１１０から読み取ったメディア情報１１１を示すラベルをＣＤ／ＤＶＤディスク１１０の表面上に印刷することができる。
【００４４】
このように、本実施の形態における印刷装置１００は、コンテンツ１１２とともにメディア情報１１１をＣＤ／ＤＶＤディスク１１０に書き込むことができる。そして、ＣＤ／ＤＶＤディスク１１０から読み取ったメディア情報１１１を示すラベルをＣＤ／ＤＶＤディスク１１０の表面上に印刷することができる。これによって、ユーザは、手間や時間がかかる複雑な操作を行うことなく、ＣＤ／ＤＶＤディスク１１０に記憶されているデータの内容を示すラベルをＣＤ／ＤＶＤディスク１１０の表面上に印刷することができる。そして、ＣＤ／ＤＶＤディスク１１０の表面上に印刷されたラベルによって、ＣＤ／ＤＶＤディスク１１０に記憶されているデータの内容を容易に把握することができる。
【００４５】
（印刷装置１００の機能的構成）
図２は、本実施の形態における印刷装置の機能的構成の一例を示すブロック図である。図２に示すように、本実施の形態における印刷装置１００は、メディア情報取得部１０１と、算出部１０２と、検出部１０３と、印刷状況判断部１０４と、ラベル情報生成部１０５と、ラベル印刷部１０６と、メディア情報更新部１０７とを備えて構成されている。
【００４６】
メディア情報取得部１０１は、ＣＤ／ＤＶＤディスク１１０から、メディア情報１１１を取得する。算出部１０２は、ＣＤ／ＤＶＤディスク１１０のディスク容量（使用量および空き容量）を算出する。例えば、算出部１０２は、メディア情報取得部１０１によって取得されたメディア情報１１１などに基づいて、ＣＤ／ＤＶＤディスク１１０のディスク容量を算出する。
【００４７】
検出部１０３は、ＣＤ／ＤＶＤディスク１１０が追記可能な状態であるか否かを検出する。例えば、検出部１０３は、例えば、算出部１０２によって算出されたディスク容量に基づいて、ＣＤ／ＤＶＤディスク１１０の空き容量が所定量以下であった場合に、ＣＤ／ＤＶＤディスク１１０が追記可能な状態ではないことを検出することができる。また、ＣＤ／ＤＶＤディスク１１０がクローズまたはファイナライズされている場合や、ＣＤ／ＤＶＤディスク１１０に記録されているフォルダ数、ファイル数、バックアップフォルダ数、セッション数などが、所定の制約数以上であった場合も、ＣＤ／ＤＶＤディスク１１０が追記可能な状態ではないことを検出することができる。
【００４８】
印刷状況判断部１０４は、メディア情報取得部１０１によって取得されたメディア情報１１１の「ラベル印刷ステータス情報」に基づいて、ディスク情報およびアルバム情報が、ＣＤ／ＤＶＤディスク１１０の表面上にすでに印刷されているか否かを判断する。
【００４９】
ラベル情報生成部１０５は、メディア情報取得部１０１によって取得されたメディア情報１１１、算出部１０２によって算出された結果に関する情報、および検出部１０３によって検出された結果に関する情報に基づいて、ＣＤ／ＤＶＤディスク１１０の表面上に印刷するラベルに関する情報（以下、「ラベル情報」と示す）を生成する。
【００５０】
ラベル印刷部１０６は、ラベル情報生成部１０５によって生成されたラベル情報に基づいて、ＣＤ／ＤＶＤディスク１１０の表面上にラベルを印刷する。また、ラベル印刷部１０６は、ＣＤ／ＤＶＤディスク１１０の表面上に位置あわせ情報を印刷する。メディア情報更新部１０７は、ＣＤ／ＤＶＤディスク１１０に格納されているメディア情報１１１を更新する。例えば、メディア情報更新部１０７は、メディア情報１１１を構成する「ラベル印刷ステータス情報」を更新する。
【００５１】
（印刷装置１００のハードウェア構成）
図３は、本実施の形態における印刷装置のハードウェア構成の一例を示すブロック図である。なお、以降において、既に説明した部分と重複する箇所は同一の符号を附して説明を省略する。本実施の形態における印刷装置１００は、ＣＰＵ（Ｃｅｎｔｒａｌ  Ｐｒｏｃｅｓｓｉｎｇ  Ｕｎｉｔ）３０１と、ＲＯＭ（Ｒｅａｄ  Ｏｎｌｙ  Ｍｅｍｏｒｙ）３０２と、ＲＡＭ（Ｒａｎｄｏｍ  Ａｃｃｅｓｓ  Ｍｅｍｏｒｙ）３０３と、ＨＤＤ（Ｈａｒｄ  Ｄｉｓｃ  Ｄｒｉｖｅ）３０４と、ＨＤ（Ｈａｒｄ  Ｄｉｓｃ）３０５と、メモリーカードリーダ１３０と、メモリーカード１２０と、ディスプレイ３０６と、インタフェース（Ｉ／Ｆ）３０７と、通信ケーブル３０８と、キーボード３０９と、マウス３１０と、スキャナ３１１と、ラベルプリンタ１５０と、ディスクドライブ１４０と、ＣＤ／ＤＶＤディスク１１０とを備えて構成されており、各構成部はバス３１２によってそれぞれ接続されている。
【００５２】
ＣＰＵ３０１は、所定の演算処理を実行し、この印刷装置１００の全体を制御する。ＲＯＭ３０２は、各種制御プログラムなどを格納する。ＲＯＭ３０２に格納されたデータは、ユーザの操作によって書き換えることが可能ではあるが、電源ＯＦＦによって消去されないものである。ＲＡＭ３０３は、可変的なデータを書き換え自在に記憶し、ＣＰＵ３０１のワークエリアとして機能する。ＲＡＭ３０３は、電源ＯＦＦによって記憶されたデータが消去される揮発性のメモリであってもよいし、バッテリなどによってバックアップされることによる不揮発性のメモリとしてもよい。
【００５３】
ＨＤＤ３０４はＣＰＵ３０１の制御命令に従って、ＨＤ３０５に対するデータの読み取り／書き込みの制御を行う。ＨＤ３０５は、各種制御プログラムや各種データを、例えばＣＰＵ３０１に読み取り可能に記憶する。ＨＤ３０５は、ＨＤＤ３０４による情報の書き込みを受け付けるとともに、書き込まれたデータを不揮発に記憶する。メモリーカードリーダ１３０はＣＰＵ３０１の制御命令に従って、メモリーカード１２０に対するデータの読み取り／書き込みの制御を行う。
【００５４】
メモリーカード１２０は、各種制御プログラムや各種データを、例えばＣＰＵ３０１に読み取り可能に記憶する。メモリーカード１２０は、メモリーカードリーダ１３０による情報の書き込みを受け付けるとともに、書き込まれたデータを不揮発に記憶する着脱自在な記憶メディアである。メモリーカード１２０として、例えば、コンパクトフラッシュ（登録商標）、スマートメディア、ＳＤメモリーカード、マルチメディアカード、メモリースティック、ＵＳＢフラッシュメモリなどを用いることができる。
【００５５】
ディスプレイ３０６は、例えばＣＲＴ（Ｃａｔｈｏｄｅ  Ｒａｙ  Ｔｕｂｅ）、ＴＦＴ（Ｔｈｉｎ  Ｆｉｌｍ  Ｔｒａｎｓｉｓｔｏｒ）液晶ディスプレイ、有機ＥＬ（Ｅｌｅｃｔｒｏｌｕｍｉｎｅｓｃｅｎｃｅ）ディスプレイ、プラズマディスプレイなどのディスプレイ装置によって構成される。ディスプレイ３０６には、アイコン、カーソル、メニュー、ウィンドウ、あるいは文字や画像などの各種情報が表示される。
【００５６】
Ｉ／Ｆ３０７は、通信ケーブル３０８を介してＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）などのネットワーク３２０に接続され、ネットワーク３２０と印刷装置１００とのインタフェースとして機能し、印刷装置１００に対するデータの入出力を制御する。
【００５７】
キーボード３０９は、文字、数字、各種指示などの入力のためのキーを備え、データの入力を行う。また、タッチパネル式の入力パッドやテンキーなどであってもよい。マウス３１０は、カーソルの移動や範囲選択、あるいはウィンドウの移動やサイズの変更などを行う。ポインティングデバイスとして同様に機能を備えるものであれば、トラックボールやジョイスティックなどであってもよい。
【００５８】
スキャナ３１１は、用紙などに印刷されている画像を光学的に読み取り、印刷装置１００の内部に画像データを取り込む。ラベルプリンタ１５０は、画像、文字、図形などによって構成されるラベルをＣＤ／ＤＶＤディスク１１０の表面上に印刷する。ラベルプリンタ１５０には、例えば、レーザプリンタやインクジェットプリンタを採用することができる。ディスクドライブ１４０はＣＰＵ３０１の制御命令に従って、ＣＤ／ＤＶＤディスク１１０に対するデータの読み取り／書き込みの制御を行う。
【００５９】
ＣＤ／ＤＶＤディスク１１０は、各種制御プログラムや各種データを、例えばＣＰＵ３０１に読み取り可能に記憶する。ＣＤ／ＤＶＤディスク１１０は、ディスクドライブ１４０による情報の書き込みを受け付けるとともに、書き込まれたデータを不揮発に記憶する着脱自在な記憶メディアである。また、ＣＤ／ＤＶＤディスク１１０は、画像データ、音楽データ、動画データなどのコンテンツ１１２を格納する。さらに、ＣＤ／ＤＶＤディスク１１０は、ディスク情報や、アルバム情報などのメディア情報１１１を格納する。
【００６０】
なお、本実施の形態にかかる印刷装置１００の機能的構成は、例えば、メディア情報取得部１０１およびメディア情報更新部１０７は、ＣＰＵ３０１およびディスクドライブ１４０が、算出部１０２、検出部１０３、印刷状況判断部１０４、およびラベル情報生成部１０５は、ＣＰＵ３０１が、ラベル印刷部１０６は、ラベルプリンタ１５０が、それぞれその機能を実現する。
【００６１】
（印刷装置１００の印刷処理手順）
図４は、本実施の形態における印刷装置による印刷処理手順の一例を示すフローチャートである。以下、本実施の形態における印刷処理手順について図４を用いて説明する。
【００６２】
まず、メディア情報取得部１０１によって、ＣＤ／ＤＶＤディスク１１０から、メディア情報１１１を取得する（ステップＳ４０１）。なお、ＣＤ／ＤＶＤディスク１１０に格納されているデータの構成の一例については図５を、ＣＤ／ＤＶＤディスク１１０に格納されているメディア情報１１１の値の一例については図６を用いて後述する。また、コンテンツ１１２が追加されたＣＤ／ＤＶＤディスク１１０に格納されているデータの構成の一例については図８を、コンテンツ１１２が追加されたＣＤ／ＤＶＤディスク１１０に格納されているメディア情報１１１の値の一例については図９を用いて後述する。
【００６３】
次に、印刷状況判断部１０４によって、ステップＳ４０１で取得したメディア情報１１１に基づいて、ＣＤ／ＤＶＤディスク１１０の表面上に、ディスク情報を示すラベルがすでに印刷されているか否かを判断する（ステップＳ４０２）。ここで、印刷状況判断部１０４は、ステップＳ４０１で取得したメディア情報１１１のうち、ディスク情報を構成する「ラベル印刷ステータス情報」の設定値に基づいて上記判断処理を行う。例えば、「ラベル印刷ステータス情報」に「未」が設定されている場合は、印刷状況判断部１０４は、ディスク情報が印刷されていないと判断する。また、例えば、「ラベル印刷ステータス情報」に「済」が設定されている場合は、印刷状況判断部１０４は、ディスク情報がすでに印刷されていると判断する。
【００６４】
ステップＳ４０２において、ディスク情報を示すラベルがすでに印刷されていると判断した場合は（ステップＳ４０２：Ｙｅｓ）、ステップＳ４０３〜ステップＳ４０６を飛ばして、ステップＳ４０７へ進む。一方、ステップＳ４０２において、ＣＤ／ＤＶＤディスク１１０に対応するディスク情報を示すラベルが印刷されていないと判断した場合は（ステップＳ４０２：Ｎｏ）、次のステップＳ４０３へ進む。
【００６５】
次に、ラベル情報生成部１０５によって、ＣＤ／ＤＶＤディスク１１０の表面上に印刷するための、ディスク情報を含んだラベル情報を生成する（ステップＳ４０３）。ラベル情報生成部１０５は、ＣＤ／ＤＶＤディスク１１０の表面上に印刷するためのディスク情報として、「タイトル情報」と、「作成者情報」と、「作成日情報」とを含んだラベルを生成する。このうち、ラベル情報生成部１０５は、「タイトル情報」として、定型文「Ｄｉｓｃ  Ｔｉｔｌｅ：」と、ステップＳ４０１で取得したメディア情報１１１に含まれるディスク情報の「タイトル情報」に設定されている文字列とを結合した文字列を生成する。
【００６６】
また、ラベル情報生成部１０５は、「作成者情報」として、定型文「Ｃｒｅａｔｏｒ：」と、ステップＳ４０１で取得したメディア情報１１１に含まれるディスク情報の「作成者情報」に設定されている文字列とを結合した文字列を生成する。さらに、ラベル情報生成部１０５は、「作成日情報」として、定型文「Ｄａｔｅ：」と、ステップＳ４０１で取得したメディア情報１１１に含まれるディスク情報の「作成日情報」に設定されている文字列とを結合した文字列を生成する。
【００６７】
次に、ラベル印刷部１０６によって、ステップＳ４０３で生成されたラベル情報に基づいて、ディスク情報を示すラベルを、ラベルプリンタ１５０を介して、ＣＤ／ＤＶＤディスク１１０の表面上の所定の位置に印刷する（ステップＳ４０４）。
【００６８】
次に、メディア情報更新部１０７によって、ＣＤ／ＤＶＤディスク１１０に格納されているメディア情報１１１を更新する（ステップＳ４０５）。このとき、メディア情報更新部１０７は、ＣＤ／ＤＶＤディスク１１０に格納されているメディア情報１１１のうち、ディスク情報を構成する「ラベル印刷ステータス情報」を、すでに設定されている「未」から「済」へと更新する。
【００６９】
次に、ラベル印刷部１０６によって、ラベルプリンタ１５０を介して、ＣＤ／ＤＶＤディスク１１０の表面上に位置あわせ情報を印刷する（ステップＳ４０６）。
【００７０】
次に、印刷状況判断部１０４によって、ステップＳ４０１で取得したメディア情報１１１に基づいて、ＣＤ／ＤＶＤディスク１１０の表面上に、ＣＤ／ＤＶＤディスク１１０に含まれる全てのアルバムに関するアルバム情報を示すラベルがすでに印刷されているか否かを判断する（ステップＳ４０７）。
【００７１】
ここで、印刷状況判断部１０４は、ステップＳ４０１で取得したメディア情報１１１のうち、全てのアルバムに関する、アルバム情報を構成する「ラベル印刷ステータス情報」の設定値に基づいてこの判断を行う。例えば、いずれかの「ラベル印刷ステータス情報」に「未」が設定されている場合は、印刷状況判断部１０４は、全てのアルバムに関するアルバム情報を示すラベルが印刷されていないと判断する。また、例えば、全ての「ラベル印刷ステータス情報」に「済」が設定されている場合は、印刷状況判断部１０４は、全てのアルバムに関するアルバム情報を示すラベルがすでに印刷されていると判断する。
【００７２】
ステップＳ４０７において、ＣＤ／ＤＶＤディスク１１０の表面上に、ＣＤ／ＤＶＤディスク１１０に含まれる全てのアルバムに関するアルバム情報を示すラベルがすでに印刷されていると判断した場合は（ステップＳ４０７：Ｙｅｓ）、ステップＳ４０８〜ステップＳ４１６を飛ばして、一連の処理を終了する。一方、ステップＳ４０７において、ＣＤ／ＤＶＤディスク１１０の表面上に、ＣＤ／ＤＶＤディスク１１０に含まれる全てのアルバムに関するアルバム情報を示すラベルが印刷されていないと判断した場合は（ステップＳ４０７：Ｎｏ）、次のステップＳ４０８へ進む。
【００７３】
次に、ラベル情報生成部１０５によって、ステップＳ４０１で取得したメディア情報１１１に基づいて、アルバムごとに、アルバム情報を含んだラベル情報を生成する（ステップＳ４０８）。ここで、ラベル情報生成部１０５は、ＣＤ／ＤＶＤディスク１１０に格納されているアルバムのうち、「ラベル印刷ステータス情報」に「未」が設定されているアルバムを対象として、ラベル情報を生成する。
【００７４】
次に、ラベル印刷部１０６によって、ステップＳ４０８で生成されたラベル情報に基づいて、アルバムごとに、アルバム情報を示すラベルを、ラベルプリンタ１５０を介して、ＣＤ／ＤＶＤディスク１１０の表面上の所定の位置に印刷する（ステップＳ４０９）。ここで、ラベル印刷部１０６は、すでに、別のアルバムに関するアルバム情報を示すラベルが印刷されている場合には、すでに印刷されているラベルに続く位置（次行）にラベルを印刷する。
【００７５】
次に、メディア情報更新部１０７によって、ＣＤ／ＤＶＤディスク１１０に格納されているメディア情報１１１を更新する（ステップＳ４１０）。このとき、メディア情報更新部１０７は、ＣＤ／ＤＶＤディスク１１０に格納されているメディア情報１１１のうち、アルバム情報を構成する「ラベル印刷ステータス情報」を、アルバムごとに、すでに設定されている「未」から「済」へと更新する。
【００７６】
次に、算出部１０２によって、ＣＤ／ＤＶＤディスク１１０のディスク容量を算出する（ステップＳ４１１）。ここで、算出部１０２は、例えば、ステップＳ４０１で取得したメディア情報１１１のうち、ディスク情報を構成する「サイズ情報」の設定値や、アルバム情報を構成する「サイズ情報」の設定値などに基づいて、ＣＤ／ＤＶＤディスク１１０のディスク容量を算出する。
【００７７】
次に、ラベル情報生成部１０５によって、ステップＳ４１１で算出されたＣＤ／ＤＶＤディスク１１０のディスク容量を示すラベル情報を生成する（ステップＳ４１２）。ここで、ラベル情報生成部１０５は、例えば、ＣＤ／ＤＶＤディスク１１０のディスク容量を示すグラフデータを生成する。
【００７８】
そして、ラベル印刷部１０６によって、ステップＳ４１２で生成されたラベル情報に基づいて、ＣＤ／ＤＶＤディスク１１０のディスク容量を示すラベルを、ラベルプリンタ１５０を介して、ＣＤ／ＤＶＤディスク１１０の表面上の所定の位置に印刷する（ステップＳ４１３）。ここで、ラベル印刷部１０６は、例えば、ＣＤ／ＤＶＤディスク１１０のディスク容量を示すグラフをＣＤ／ＤＶＤディスク１１０の表面上の所定の位置に印刷する。
【００７９】
次に、検出部１０３によって、ステップＳ４０１で取得されたメディア情報１１１に基づいて、ＣＤ／ＤＶＤディスク１１０が追記可能な状態であるか否かを検出して（ステップＳ４１４）、ラベル情報生成部１０５によって、ステップＳ４１４で検出されたＣＤ／ＤＶＤディスク１１０が追記可能な状態であるか否かを示すラベル情報を生成する（ステップＳ４１５）。そして、ラベル印刷部１０６によって、ステップＳ４１５で生成されたラベル情報に基づいて、ＣＤ／ＤＶＤディスク１１０が追記可能な状態であるか否かを示すラベルを、ラベルプリンタ１５０を介して、ＣＤ／ＤＶＤディスク１１０の表面上の所定の位置に印刷して（ステップＳ４１６）、一連の処理を終了する。
【００８０】
上述した手順によってＣＤ／ＤＶＤディスク１１０の表面上に印刷されたラベルの一例については図７を用いて後述する。また、ＣＤ／ＤＶＤディスク１１０にコンテンツ１１２が追加された後に、上述した手順によってＣＤ／ＤＶＤディスク１１０の表面上に印刷されたラベルの一例については図１０を用いて後述する。そして、ＣＤ／ＤＶＤディスク１１０が追記可能な状態であるか否かを示すラベルの一例については図１３を用いて後述する。
【００８１】
なお、上述したように、本実施の形態においては、例えばすでに印刷されているアルバム情報を示すラベルに続く位置に新たなアルバム情報を示すラベルを印刷するなど、所定の位置にラベルを印刷することができる。このためには、ＣＤ／ＤＶＤディスク１１０を、ラベルプリンタ１５０に対して、常に所定の円周方向に向けてセットしなければならない。
【００８２】
そこで、本実施の形態においては、ＣＤ／ＤＶＤディスク１１０の表面上に印刷された位置あわせ情報を、ラベルプリンタ１５０の所定の位置に合わせることによって、ＣＤ／ＤＶＤディスク１１０を、ラベルプリンタ１５０に対して、常に所定の円周方向に向けてセットすることができる。なお、ＣＤ／ＤＶＤディスク１１０のラベルプリンタ１５０へのセット方法の一例については図１１および図１２を用いて後述する。
【００８３】
（ＣＤ／ＤＶＤディスク１１０に格納されているデータの構成の一例）
図５は、ＣＤ／ＤＶＤディスク１１０に格納されているデータの構成の一例を示す図である。図５に示すように、ＣＤ／ＤＶＤディスク１１０は、ディレクトリ５００を最上位階層とした階層構造によって構成されている。ディレクトリ５００は、ディレクトリ名称として、ディスクＩＤと同じ名称「Ｄｉｓｃ１」を有する。ディレクトリ５００は、ディレクトリ５１０と、ディレクトリ５３０とによって構成されている。
【００８４】
ディレクトリ５１０は、ディレクトリ名称「ＩＮＦＯ」を有する。ディレクトリ５１０には、ファイル５２０が格納されている。ファイル５２０は、ファイル名称「ＩＮＦＯ．ＸＭＬ」を有するメタデータであり、メディア情報１１１などがＸＭＬ形式で記述されている。ディレクトリ５３０は、ディレクトリ名称「ＣＯＮＴＥＮＴＳ」を有する。ディレクトリ５３０には、画像データ、音楽データ、動画データなどのコンテンツ１１２が格納される。ディレクトリ５３０には、アルバム５４０と、アルバム５５０が格納されている。
【００８５】
アルバム５４０はアルバムＩＤ「Ａｌｂｕｍ１」を有する。アルバム５４０には、画像データ５４１と画像データ５４２が格納されている。画像データ５４１および画像データ５４２は、ＪＰＥＧ形式で圧縮された画像データであり、ファイル名として、「ｍｅｅｔｉｎｇ１＿１．ｊｐｇ」および「ｍｅｅｔｉｎｇ１＿２．ｊｐｇ」が付与されている。アルバム５５０はアルバムＩＤ「Ａｌｂｕｍ２」を有する。アルバム５５０には、音楽データ５５１が格納されている。音楽データ５５１は、ＭＰ３形式で圧縮された音楽データであり、ファイル名として、「ｍｅｅｔｉｎｇ２．ｍｐ３」が付与されている。
【００８６】
（ＣＤ／ＤＶＤディスク１１０に格納されているメディア情報１１１の値の一例）
図６、はＣＤ／ＤＶＤディスク１１０に格納されているメディア情報１１１の値の一例を示す図である。図６に示すように、表６００は、ＣＤ／ＤＶＤディスク１１０に格納されているメディア情報１１１を表形式で表したものである。表６００は、ＩＤ６０１と、タイトル６０２と、作成者６０３と、作成日６０４と、サイズ６０５と、ラベル印刷ステータス６０６とによって構成されている。
【００８７】
ＩＤ６０１には、「ＩＤ情報」として、ディスクおよびアルバムを一意に識別するためのＩＤが設定される。タイトル６０２には、「タイトル情報」として、ディスクおよびアルバムのタイトルが設定される。作成者６０３には、「作成者情報」として、ディスクおよびアルバムの作成者が設定される。作成日６０４には、「作成日情報」として、ディスクおよびアルバムの作成日が設定される。サイズ６０５には、「サイズ情報」として、ディスクおよびアルバムに格納されているデータのサイズが設定される。ラベル印刷ステータス６０６には、「ラベル印刷ステータス情報」として、ディスク情報およびアルバム情報が、ＣＤ／ＤＶＤディスク１１０の表面上にすでに印刷されているか否かを示す値（例えば「未」または「済」）が設定される。
【００８８】
また、図６に示す表６００は、行６１０と、行６２０と、行６３０とによって構成されている。行６１０は、ＣＤ／ＤＶＤディスク１１０に関するディスク情報である。行６２０は、図５を用いて上述したアルバム５４０に関するアルバム情報である。行６３０は、図５を用いて上述したアルバム５５０に関するアルバム情報である。
【００８９】
例えば、メディア情報取得部１０１は、ディスク情報の「ＩＤ情報」として「Ｄｉｓｃ１」を、「タイトル情報」として「社内勉強会データ」を、「作成者情報」として「企画部  吉田」を、「作成日情報」として「２００５／６／１」を、「サイズ情報」として「２５０ＭＢ」を、「ラベル印刷ステータス情報」として「未」を取得することを示している。
【００９０】
また、例えば、メディア情報取得部１０１は、アルバムＩＤに「Ａｌｂｕｍ２」が付与されたアルバムに関するアルバム情報の「タイトル情報」として「第二回勉強会（開発手法の基礎）」を、「作成者情報」として「開発部  松本」を、「作成日情報」として「２００５／６／１５」を、「サイズ情報」として「１５０ＭＢ」を、「ラベル印刷ステータス情報」として「未」を取得することを示している。
【００９１】
図５を用いて上述したＣＤ／ＤＶＤディスク１１０のデータ構成および、図６を用いて上述したメディア情報１１１のデータ構成は、印刷装置１００を含めた、装置、機種およびメーカーを問わない複数の装置間において取り決められた標準フォーマットに従って構成されている。これによって、例えばデジタルカメラなどの印刷装置１００以外の装置によってＣＤ／ＤＶＤディスク１１０に格納されたメディア情報１１１であっても、印刷装置１００によって判読することができる。また、印刷装置１００によってＣＤ／ＤＶＤディスク１１０に格納されたメディア情報１１１であっても、印刷装置１００以外の装置によって判読することができる。さらに、印刷装置１００以外の装置によってＣＤ／ＤＶＤディスク１１０に格納されたメディア情報１１１を、さらに他の印刷装置１００以外の装置によって判読することができる。
【００９２】
（ＣＤ／ＤＶＤディスク１１０の表面上に印刷されたラベルの一例）
図７は、ＣＤ／ＤＶＤディスク１１０の表面上に印刷されたラベルの一例を示す図である。図７に示すように、ＣＤ／ＤＶＤディスク１１０の表面上には、ラベル印刷部１０６によって、ラベル７１０と、ラベル７２０と、ラベル７３０と、位置あわせ情報７４０とが印刷されている。
【００９３】
このうち、ラベル７１０は、図６を用いて上述した、ＣＤ／ＤＶＤディスク１１０に関するディスク情報を示すものであって、「タイトル情報」と、「作成者情報」と、「作成日情報」とを含んでいる。また、ラベル７２０は、図６を用いて上述した、ＣＤ／ＤＶＤディスク１１０に格納されているアルバムに関するアルバム情報を示すものであって、「タイトル情報」と、「作成日情報」とを含んでいる。
【００９４】
また、ラベル７３０は、図６を用いて上述した、ＣＤ／ＤＶＤディスク１１０のディスク容量をグラフとして示すものである。そして、位置あわせ情報７４０は、ＣＤ／ＤＶＤディスク１１０をラベルプリンタ１５０へセットするときに位置を合わせるための目印である。
【００９５】
例えば、ラベル７１０には、ＣＤ／ＤＶＤディスク１１０に関する「タイトル情報」として「Ｄｉｓｃ  Ｔｉｔｌｅ：社内勉強会データ」が、「作成日情報」として「Ｄａｔｅ：２００５／６／１」が、「作成者情報」として、「Ｃｒｅａｔｏｒ：企画部  吉田」が印刷されている。このように、ラベル７１０が印刷されていることによって、ＣＤ／ＤＶＤディスク１１０の内容を、容易に、ユーザに把握させることができる。
【００９６】
また、ラベル７２０には、アルバムＩＤ「Ａｌｂｕｍ１」を有するアルバム５４０（図５参照）に関する「タイトル情報」として「第一回（勉強会について）」が、「作成日情報」として、「２００５／６／１」が印刷されている。また、ラベル７２０には、アルバムＩＤ「Ａｌｂｕｍ２」を有するアルバム５５０（図５参照）に関する「タイトル情報」として「第二回勉強会（開発手法の基礎）」が、「作成日情報」として、「２００５／６／１５」が印刷されている。このように、ラベル７２０が印刷されていることによって、ＣＤ／ＤＶＤディスク１１０に格納されているアルバムの内容を、容易に、ユーザに把握させることができる。
【００９７】
そして、ラベル７３０には、グラフ化された、ＣＤ／ＤＶＤディスク１１０のディスク容量「７００ＭＢ」に対する使用率「３６％（≒２５０ＭＢ÷７００ＭＢ）」が印刷されている。このように、ラベル７３０が印刷されていることによって、例えば、ＣＤ／ＤＶＤディスク１１０のディスク容量（使用量および空き容量）を、容易に、ユーザに把握させることができる。
【００９８】
（ＣＤ／ＤＶＤディスク１１０に格納されているデータの構成の一例）
図８は、コンテンツ１１２が追加されたＣＤ／ＤＶＤディスク１１０に格納されているデータの構成の一例を示す図である。図８に示すように、ＣＤ／ＤＶＤディスク１１０には、図５を用いて上述したＣＤ／ＤＶＤディスク１１０の状態から、アルバムＩＤ「Ａｌｂｕｍ３」を有するアルバム５６０が追加されている。このアルバム５６０には、動画データ５６１が格納されている。動画データ５６１は、ＡＶＩ形式の動画データであり、ファイル名として、「ｍｅｅｔｉｎｇ３．ａｖｉ」が付与されている。
【００９９】
（ＣＤ／ＤＶＤディスク１１０に格納されているメディア情報１１１の値の一例）
図９は、コンテンツ１１２が追加されたＣＤ／ＤＶＤディスク１１０に格納されているメディア情報１１１の値の一例を示す図である。図９に示すように、表９００は、図６を用いて上述した表６００の状態から、行６４０が追加されている。この行６４０は、図８を用いて上述したアルバム５６０に関するアルバム情報である。
【０１００】
また、表９００は、図６を用いて上述した表６００の状態から、メディア情報更新部１０７によって、行６１０〜行６３０のラベル印刷ステータス６０６が「済」に更新されている。これによって、印刷状況判断部１０４は、ＣＤ／ＤＶＤディスク１１０に関するディスク情報と、図５を用いて上述したアルバム５４０およびアルバム５５０に関するアルバム情報とが、すでにＣＤ／ＤＶＤディスク１１０の表面上に印刷されていると判断することができる。そして、印刷状況判断部１０４は、新たに追加されたアルバム５６０に関するアルバム情報のみが、ＣＤ／ＤＶＤディスク１１０の表面上に印刷されていないと判断することができる。
【０１０１】
（ＣＤ／ＤＶＤディスク１１０の表面上に印刷されたラベルの一例）
図１０は、コンテンツ１１２が追加されたＣＤ／ＤＶＤディスク１１０の表面上に印刷されたラベルの一例を示す図である。図１０に示すように、ＣＤ／ＤＶＤディスク１１０の表面上には、図７を用いて上述したＣＤ／ＤＶＤディスク１１０の状態から、ラベル７２０に、図８を用いて上述したアルバムＩＤ「Ａｌｂｕｍ３」を有するアルバム５６０に関するアルバム情報が追記されている。これにより、ラベル７３０によって示されているＣＤ／ＤＶＤディスク１１０のディスク容量「７００ＭＢ」に対する使用率が「３６％」から「６４％（≒４５０ＭＢ÷７００ＭＢ）」へ更新されている。
【０１０２】
このように、印刷装置１００は、アルバムが追加されたことにより更新されたメディア情報１１１に基づいて、追加されたアルバムに対応するアルバム情報７２０を、すでに印刷されているアルバム情報７２０に続いて、ＣＤ／ＤＶＤディスク１１０の表面上に追記することができる。また、ＣＤ／ＤＶＤディスク１１０の使用率をグラフ化した容量情報７３０を、すでに印刷されている容量情報７３０と重なるように、ＣＤ／ＤＶＤディスク１１０の表面上に追記することができる。
【０１０３】
（ＣＤ／ＤＶＤディスク１１０のラベルプリンタ１５０へのセット方法の一例）
図１１および図１２は、ＣＤ／ＤＶＤディスク１１０のラベルプリンタ１５０へのセット方法の一例を示す図である。図１１および図１２に示すように、ラベルプリンタ１５０の、ＣＤ／ＤＶＤディスク１１０が載置されるトレイの円周上には、位置あわせ情報１５１が形成されている。
【０１０４】
そして、図１２に示すように、ＣＤ／ＤＶＤディスク１１０の表面上にラベルを印刷するときには、この位置あわせ情報１５１と、ＣＤ／ＤＶＤディスク１１０に表面上に印刷された位置あわせ情報７４０との位置を合わせて、ＣＤ／ＤＶＤディスク１１０をラベルプリンタ１５０のトレイ上に載置する。これによって、ＣＤ／ＤＶＤディスク１１０を、ラベルプリンタ１５０に対して、常に所定の円周方向に向けてセットすることができ、常に所定位置にラベルを印刷することができる。
【０１０５】
（追記可能な状態であるか否かを示すラベルの一例を示す図）
図１３は、ＣＤ／ＤＶＤディスク１１０が追記可能な状態であるか否かを示すラベルの一例を示す図である。この図１３は、図１０を用いて上述したＣＤ／ＤＶＤディスク１１０の状態から、例えば、ＣＤ／ＤＶＤディスク１１０がファイナライズされ、追記不可となったＣＤ／ＤＶＤディスク１１０の状態を示したものである。
【０１０６】
図１３に示すように、ＣＤ／ＤＶＤディスク１１０の表面上には、すでに印刷されているラベル７３０を塗りつぶすことによって追記不可の状態であることを示すラベル１３１０と、文字列「Ｃａｎ  ｎｏｔ  ｗｒｉｔｅ」によって追記不可の状態であることを示すラベル１３２０が印刷されている。このように、ラベル１３１０およびラベル１３２０が印刷されていることによって、例えば、ＣＤ／ＤＶＤディスク１１０が追記可能な状態であるか否かを、容易に、ユーザに把握させることができる。
【０１０７】
このように、本実施の形態によれば、ＣＤ／ＤＶＤディスク１１０に格納されているメディア情報１１１を取得して、取得したメディア情報１１１に基づいて、ＣＤ／ＤＶＤディスク１１０に格納されているコンテンツ１１２の内容を示すラベル７２０をＣＤ／ＤＶＤディスク１１０の表面上に印刷することができる。
【０１０８】
これにより、ユーザは、コンテンツ１１２の内容を示すラベル７２０をＣＤ／ＤＶＤディスク１１０の表面上に容易に印刷することができる。そして、ＣＤ／ＤＶＤディスク１１０の表面上に印刷されたラベル７２０によって、ＣＤ／ＤＶＤディスク１１０に格納されているコンテンツ１１２の内容を容易に把握することができる。
【０１０９】
また、本実施の形態によれば、ＣＤ／ＤＶＤディスク１１０に格納されているコンテンツ１１２のうち、ＣＤ／ＤＶＤディスク１１０の表面上にアルバム情報が印刷されていないコンテンツ１１２に関するラベル７２０のみを、ＣＤ／ＤＶＤディスク１１０の表面上の、すでに印刷されているラベル７２０と重ならない位置に印刷することができる。
【０１１０】
これにより、ユーザは、ＣＤ／ＤＶＤディスク１１０に追記されたコンテンツ１１２に関するラベル７２０のみを、ＣＤ／ＤＶＤディスク１１０の表面上の、すでに印刷されているラベル７２０と重ならない位置に容易に印刷することができる。そして、ＣＤ／ＤＶＤディスク１１０の表面上に印刷されたラベル７２０によって、ＣＤ／ＤＶＤディスク１１０に追記されたコンテンツ１１２の内容を容易に把握することができる。
【０１１１】
さらに、本実施の形態によれば、ＣＤ／ＤＶＤディスク１１０の表面上に位置あわせ情報７４０を印刷したことによって、ユーザは、ＣＤ／ＤＶＤディスク１１０をラベルプリンタ１５０のトレイ上に載置する際の位置あわせを、容易におこなうことができる。そして、ＣＤ／ＤＶＤディスク１１０の位置あわせをユーザにおこなわせることによって、ラベルプリンタ１５０は、常に所定の位置にラベルを印刷することができる。
【０１１２】
さらに、本実施の形態によれば、ＣＤ／ＤＶＤディスク１１０のディスク容量を算出して、算出されたディスク容量を示すグラフ化されたラベル７３０をＣＤ／ＤＶＤディスク１１０の表面上に印刷することができる。
【０１１３】
これにより、ユーザは、ＣＤ／ＤＶＤディスク１１０のディスク容量を示すラベル７３０をＣＤ／ＤＶＤディスク１１０の表面上に容易に印刷することができる。そして、ＣＤ／ＤＶＤディスク１１０の表面上に印刷されたラベル７３０によって、ＣＤ／ＤＶＤディスク１１０のディスク容量を容易かつ直感的に把握することができる。
【０１１４】
さらに、本実施の形態によれば、ＣＤ／ＤＶＤディスク１１０が追記可能な状態か否かを検出して、その検出結果を示すラベル１３１０およびラベル１３２０をＣＤ／ＤＶＤディスク１１０の表面上に印刷することができる。
【０１１５】
これにより、ユーザは、ＣＤ／ＤＶＤディスク１１０が追記可能な状態か否かを示すラベル１３１０およびラベル１３２０をＣＤ／ＤＶＤディスク１１０の表面上に容易に印刷することができる。そして、ＣＤ／ＤＶＤディスク１１０の表面上に印刷されたラベル１３１０およびラベル１３２０によって、ＣＤ／ＤＶＤディスク１１０が追記可能な状態か否かを容易に把握することができる。
【０１１６】
なお、本実施の形態においては、ラベルプリンタ１５０によって、ＣＤ／ＤＶＤディスク１１０の表面上に直接ラベルを印刷する構成としたが、例えば、ＣＤ／ＤＶＤディスク１１０の表面上に貼付することができるシールなどに対してラベルを印刷するようにしてもよい。
【０１１７】
さらに、本実施の形態においては、ラベルを印刷する記憶メディアの一例として、ＣＤ／ＤＶＤディスク１１０を用いた構成としたが、可搬性を有する記憶メディアであれば、例えば、メモリーカード１２０や、ＦＤ（Ｆｌｅｘｉｂｌｅ  Ｄｉｓｃ）などの表面上に貼付することができるシールなどに対してラベルを印刷するようにしてもよい。
【０１１８】
さらに、本実施の形態においては、ＣＤ／ＤＶＤディスク１１０のディスク容量を示すグラフ化されたラベル７３０を、ＣＤ／ＤＶＤディスク１１０の表面上に印刷する構成としたが、ＣＤ／ＤＶＤディスク１１０のディスク容量を示すことができるものであれば、例えば、ＣＤ／ＤＶＤディスク１１０のディスク容量を数値で表したものを、ＣＤ／ＤＶＤディスク１１０の表面上に印刷するようにしてもよい。
【０１１９】
さらに、本実施の形態においては、ＣＤ／ＤＶＤディスク１１０の表面上に、ディスク情報を示すラベル７１０およびアルバム情報を示すラベル７２０のみを印刷する構成としたが、例えば、アルバムに含まれる、画像データや、音楽データ、動画データなどのコンテンツ１１２の内容を示すラベルをＣＤ／ＤＶＤディスク１１０の表面上に印刷するようにしてもよい。
【０１２０】
さらに、本実施の形態においては、印刷装置１００によってコンテンツ１１２およびメディア情報１１１が書き込まれたＣＤ／ＤＶＤディスク１１０を用いた構成としたが、印刷装置１００以外の装置によって、コンテンツ１１２およびメディア情報１１１が書き込まれたＣＤ／ＤＶＤディスク１１０を用いることもできる。
【０１２１】
このように、印刷装置１００以外の装置によってＣＤ／ＤＶＤディスク１１０に書き込まれたメディア情報１１１であっても、本実施の形態で上述したように、ＣＤ／ＤＶＤディスク１１０のデータ構成およびメディア情報１１１のデータ構成を、装置、機種およびメーカーを問わない複数の装置間において取り決められた標準フォーマットに従って構成することによって、印刷装置１００によって判読することができる。
【０１２２】
さらに、本実施の形態においては、ＣＤ／ＤＶＤディスク１１０から、メディア情報１１１を取得する構成としたが、例えば、メディア情報１１１をＣＤ／ＤＶＤディスク１１０から取得せずに、ＨＤ３０５など、他の記憶メディアから取得するようにしてもよい。
【０１２３】
さらに、本実施の形態においては、ＣＤ／ＤＶＤディスク１１０にコンテンツ１１２が追加された場合、追加されたコンテンツ１１２に関するラベル７２０のみをＣＤ／ＤＶＤディスク１１０の表面上の、すでに印刷されているラベル７２０と重ならない位置に印刷する構成としたが、例えば、ＣＤ／ＤＶＤディスク１１０の表面上に重ねて貼付することができるシールなどに対してラベル７２０を印刷する場合には、常に、ＣＤ／ＤＶＤディスク１１０に含まれる全てのコンテンツ１１２に関するラベル７２０を印刷する構成としてもよい。
【０１２４】
さらに、本実施の形態においては、文字列データからなるラベル７１０およびラベル７２０をＣＤ／ＤＶＤディスク１１０の表面上に印刷する構成としたが、これに限らず、例えば、サムネイル画像などのイメージデータからなるラベル７１０およびラベル７２０をＣＤ／ＤＶＤディスク１１０の表面上に印刷する構成としてもよい。
【０１２５】
なお、本実施の形態で説明した印刷方法は、あらかじめ用意されたプログラムをプリンタまたはパーソナル・コンピュータやワークステーションなどのコンピュータで実行することにより実現することができる。パーソナル・コンピュータやワークステーションなどのコンピュータで実行する場合には以下の態様となる。即ち、ＣＤ／ＤＶＤディスク１１０を読み取り可能なディスクドライブ１４０を備えたコンピュータであれば、メディア情報取得部１０１、算出部１０２、検出部１０３、印刷状況判断部１０４、ラベル情報生成部１０５、メディア情報更新部１０７をそのコンピュータで構成し、接続されたラベルプリンタにてラベル印刷部１０６を構成する。あるいは、ＣＤ／ＤＶＤディスク１１０を読み取り可能なディスクドライブ１４０を備えないコンピュータの場合には、接続されたディスクドライブにて構成されるメディア情報取得部１０１から取得したメディア情報を用いて、算出部１０２、検出部１０３、印刷状況判断部１０４、ラベル情報生成部１０５、メディア情報更新部１０７をそのコンピュータで構成し、接続されたラベルプリンタにてラベル印刷部１０６を構成する。このプログラムは、ハードディスク、フレキシブルディスク、ＣＤ−ＲＯＭ、ＭＯ、ＤＶＤなどのコンピュータで読み取り可能な記憶メディアに記憶され、コンピュータによって記憶メディアから読み出されることによって実行される。またこのプログラムは、インターネットなどのネットワークを介して配布することが可能な伝送媒体であってもよい。
【図面の簡単な説明】
【０１２６】
【図１】印刷装置の印刷処理の概要の一例を示す図。
【図２】印刷装置の機能的構成の一例を示すブロック図。
【図３】印刷装置のハードウェア構成の一例を示すブロック図。
【図４】印刷処理手順の一例を示すフローチャート。
【図５】ディスクに格納されているデータの構成の一例を示す図。
【図６】ディスクに格納されているメディア情報の値の一例を示す図。
【図７】ディスクの表面上に印刷されたラベルの一例を示す図。
【図８】ディスクに格納されているデータの構成の一例を示す図。
【図９】ディスクに格納されているメディア情報の値の一例を示す図。
【図１０】ディスクの表面上に印刷されたラベルの一例を示す図。
【図１１】ディスクのラベルプリンタへのセット方法の一例を示す図。
【図１２】ディスクのラベルプリンタへのセット方法の一例を示す図。
【図１３】ディスクが追記可能な状態であるか否かを示すラベルの一例を示す図。
【符号の説明】
【０１２７】
１００  印刷装置、１０１  メディア情報取得部、１０２  算出部、１０３  検出部、１０４  印刷状況判断部、１０５  ラベル情報生成部、１０６  ラベル印刷部、１０７  メディア情報更新部、１１０  ＣＤ／ＤＶＤディスク、１１１  メディア情報、１１２  コンテンツ。
【図１】
2008140439.tif 000003
【図２】
2008140439.tif 000004
【図３】
2008140439.tif 000005
【図４】
2008140439.tif 000006
【図５】
2008140439.tif 000007
【図６】
2008140439.tif 000008
【図７】
2008140439.tif 000009
【図８】
2008140439.tif 000010
【図９】
2008140439.tif 000011
【図１０】
2008140439.tif 000012
【図１１】
2008140439.tif 000013
【図１２】
2008140439.tif 000014
【図１３】
2008140439.tif 000015